(57)【要約】  連続式刺鍼器のカートリッジは、少なくとも一つの鍼が貯蔵される鍼貯蔵空間、前記鍼貯蔵空間に貯蔵された鍼を前記打撃位置に順次ロードするために、前記鍼貯蔵空間と前記打撃位置を連結する通路の役目をする装填スロット、及び前記打撃位置にロードされた鍼が打撃されて刺鍼される場合、隣接の鍼が共に排出されることを防止するために、前記装填スロットの少なくとも一部に備えられた段差部を含んでなる。
2010533538.tif 000002
【特許請求の範囲】
【請求項１】
鍼を連続的に刺鍼する連続式刺鍼器において、
少なくとも一つの鍼が貯蔵されるカートリッジを装着するための装着口と、前記カートリッジに貯蔵された鍼のうち、前記連続式刺鍼器の打撃位置にロードされた鍼を打撃して患部に刺鍼させる打撃手段とを備えた刺鍼器本体；及び
前記カートリッジを前記装着口に装着しているうちには前記カートリッジに貯蔵された鍼に磁力を及ぼさないが、カートリッジが装着された後には前記カートリッジに貯蔵された鍼に磁力を及ぼして前記カートリッジに貯蔵された鍼を前記カートリッジの打撃位置に順次ロードさせるために、内部に第１磁石を備え、前記刺鍼器本体の一側に近接した位置または離脱した位置に回動、スライドまたは着脱可能に設置される磁力発生部；を含むことを特徴とする、連続式刺鍼器。
【請求項２】
前記装着口に装着される前記カートリッジの上側部に対応する前記刺鍼器本体の一側に位置し、前記カートリッジに貯蔵された鍼の先鋭部が底に触れないように浮上させる第２磁石をさらに含むことを特徴とする、請求項１に記載の連続式刺鍼器。
【請求項３】
前記磁力発生部と前記カートリッジには互いに対応する位置にロック突起とロック凹部がそれぞれ形成され、前記磁力発生部が前記カートリッジの一側に近接した位置に回動、スライドまたは付着した場合、前記ロック突起が前記ロック凹部に嵌挿してカートリッジの離脱を防止するようにロックされ、前記磁力発生部が前記カートリッジの一側から離脱した位置に回動、スライドまたは脱着した場合、前記ロック突起が前記ロック凹部から抜けて前記カートリッジの離脱が可能になるようにアンロックされることを特徴とする、請求項１に記載の連続式刺鍼器。
【請求項４】
前記刺鍼器本体に備えられた打撃手段は、前記装着口に装着される前記カートリッジの上側部に対応する刺鍼器本体に設置され、復帰スプリングによって上側に弾支されたボタン、前記ボタンの内部に、打撃スプリングによって下側に弾支されるように設置された撃針、前記撃針の一側に上向き傾斜面が形成された撃針ノーズ、前記撃針ノーズの下側にボタンを押すとき、前記撃針ノーズがかかって一定位置まで打撃スプリングを圧縮させるように形成された圧縮段、及び前記撃針ノーズの上側に、前記打撃スプリングが一定長さ以上圧縮されたとき、前記撃針ノーズの傾斜面を押して前記撃針ノーズが圧縮段から離脱するようにする解除段を含むことを特徴とする、請求項１に記載の連続式刺鍼器。
【請求項５】
前記撃針ノーズの端部から前記圧縮段までの長さは、前記カートリッジに貯蔵された鍼の鍼柄の長さの１／２以下であることを特徴とする、請求項４に記載の連続式刺鍼器。
【請求項６】
前記刺鍼器本体は、前記ボタンをロックまたはアンロックさせるためのロックスイッチを含むことを特徴とする、請求項４に記載の連続式刺鍼器。
【請求項７】
内部に収納された多数の鍼を連続式刺鍼器の打撃位置に順次ロードするための連続式刺鍼器のカートリッジにおいて、
少なくとも一つの鍼が貯蔵される鍼貯蔵空間；
前記鍼貯蔵空間に貯蔵された鍼を前記打撃位置に順次ロードするために、前記鍼貯蔵空間と前記打撃位置を連結する通路の役目をする装填スロット；及び
前記打撃位置にロードされた鍼が打撃されて刺鍼される場合、隣接の鍼が共に排出されることを防止するために、前記装填スロットの少なくとも一部に備えられた段差部；を含んでなり、
前記鍼貯蔵空間の鍼が前記装填スロットに進入する装填スロットの入口部を含む装填スロットの少なくとも一部は両側が互いに非対称に形成されることを特徴とする、連続式刺鍼器のカートリッジ。
【請求項８】
装填スロットの入口部を含む装填スロットの少なくとも一部は、互いに異なる勾配角を持つ傾斜面を有するか、互いに異なる曲率を持つラウンド面が形成されるか、あるいは互いに異なる高さを持つように形成されることを特徴とする、請求項７に記載の連続式刺鍼器のカートリッジ。
【請求項９】
前記装填スロットの端部には上側排出孔と下側排出孔からなる排出孔が形成され、前記下側排出孔の長径は鍼柄の直径の１．５倍より大きな長さを持つことを特徴とする、請求項７に記載の連続式刺鍼器のカートリッジ。
【請求項１０】
前記装填スロットは、その中間部が所定角度で折曲または湾曲されるように形成されることを特徴とする、請求項７に記載の連続式刺鍼器のカートリッジ。
【請求項１１】
前記連続式刺鍼器のカートリッジは、前記鍼貯蔵空間の上部を成すとともに前記装填スロットの上部を成す中間連結部材、前記鍼貯蔵空間の下部を成すとともに前記装填スロットの下部を成し、前記中間連結部材の下端に組み立てられる鍼貯蔵部、及び前記鍼貯蔵部の下端に組み立てられ、前記鍼を排出する送出部を含み、これらは互いに分離されていることを特徴とする、請求項７に記載の連続式刺鍼器のカートリッジ。
【請求項１２】
前記送出部には前記鍼の排出のためのガイドホールが形成され、前記ガイドホールには、前記送出部の下方に突出して昇降可能に組み立てられ、突出長によって患部に刺入される鍼の深さを調節するガイド管が備えられたことを特徴とする、請求項１１に記載の連続式刺鍼器のカートリッジ。
【請求項１３】
前記送出部の外周面一側には前記ガイド管の突出位を調節するための多数の多段スリットが交互に形成され、前記ガイド管の外周面には、前記多数の多段スリットのいずれか一つに選択的にかかって前記ガイド管を固定する調節ピンが備えられたことを特徴とする、請求項１２に記載の連続式刺鍼器のカートリッジ。
【請求項１４】
前記送出部の上端面には、前記鍼貯蔵空間に貯蔵された鍼が外部衝撃によって送出部側に離脱することを防止するために、前記ガイドホールと対応する位置に通孔が形成された平膜が備えられたことを特徴とする、請求項１１に記載の連続式刺鍼器のカートリッジ。
【請求項１５】
前記ガイド管の下端にはストッパーピンが嵌挿されたことを特徴とする、請求項１２に記載の連続式刺鍼器のカートリッジ。
【請求項１６】
内部に収納された多数の鍼を連続式刺鍼器の打撃位置に順次ロードするための連続式刺鍼器のカートリッジにおいて、
貯蔵された鍼が前記打撃位置に順次供給されるように通路の役目をする装填スロット；及び
前記打撃位置にロードされた鍼が打撃されて刺鍼される場合、隣接の鍼が共に排出されることを防止するために、前記装填スロットの少なくとも一部に備えられた段差部；を含んでなり、
前記装填スロットの端部には上側排出孔と下側排出孔からなる排出孔が形成され、前記下側排出孔の長径は鍼柄直径の１．５倍より大きな長さを持つことを特徴とする連続式刺鍼器のカートリッジ。
【請求項１７】
前記装填スロットは、その中間部が所定角度で折曲または湾曲されるように形成されることを特徴とする、請求項１６に記載の連続式刺鍼器のカートリッジ。
【請求項１８】
前記連続式刺鍼器のカートリッジは、前記鍼貯蔵空間の上部を成すとともに前記装填スロットの上部を成す中間連結部材、前記鍼貯蔵空間の下部を成すとともに前記装填スロットの下部を成し、前記中間連結部材の下端に組み立てられる鍼貯蔵部、及び前記鍼貯蔵部の下端に組み立てられ、前記鍼を排出する送出部とを含んでなり、これらは互いに分離されていることを特徴とする、請求項１６に記載の連続式刺鍼器のカートリッジ。
【発明の詳細な説明】
【技術分野】
【０００１】
本発明は連続式刺鍼器及び連続式刺鍼器のカートリッジに係り、より詳しくは外部の衝撃による振動または鍼を患部に刺鍼しているうちに刺鍼角度の頻繁な変更によってカートリッジの内部に貯蔵された鍼の整列が崩れる現象、鍼が装填スロットの入口で磁力によって打撃位置に引かれる瓶首現象によるロード不能現象、鍼を打撃して刺鍼する連続式刺鍼器の撃針作動幹が戻るとき、作動幹が支点の役目をすることによって発生するロード不能現象を防止して、カートリッジの内部に貯蔵された鍼が順次ロードされるようにすることにより、消費者が安心して使用することになった連続式刺鍼器のカートリッジ；及び一つ以上の鍼を鍼貯蔵カートリッジに不規則な状態に貯蔵した状態で、片手でボタンを押して連続して刺鍼することができるようにすることにより、刺鍼時間を節減するとともに使用者が便利にかつ衛生的に施術できるようにし、患者には鍼が見えないので施術の前に恐れから脱することができ、刺鍼の際、瞬間的な打撃方式によって痛症を軽減させることができる連続式刺鍼器に関する。
【背景技術】
【０００２】
一般に、連続式刺鍼器は連続的に鍼を刺鍼することができる刺鍼器で、これに係わる技術の一例として、本出願人が出願した大韓民国登録特許第１０−０５８５８４４号に開示された“連続式刺鍼器”がある。
【０００３】
前記大韓民国登録特許第１０−０５８５８４４号の請求項１には、図１に示すように、“鍼を連続的に刺鍼する連続式刺鍼器において、一つ以上の鍼が貯蔵されるカートリッジ１と、前記カートリッジ１の一側に位置され、貯蔵された鍼が磁力によって引かれて打撃位置に自動で配置されるようにする第１磁石４と、前記カートリッジ１の上側に位置し、打撃位置に位置する鍼を患部に刺鍼するために打撃する打撃手段と、カートリッジ１の下側に配置され、打撃された鍼が送り出されるホールが形成された送出部３０とを含み、前記打撃手段は、カートリッジ１の上側に復帰スプリング２２によって上方に弾支されるように設置されたボタン２３と、ボタン２３の内部に打撃スプリング２５によって下方に弾支されるように設置された撃針２６と、撃針２６の一側に上向き傾斜面が形成された撃針ノーズと、前記撃針ノーズの下側に、ボタン２３を押すときに前記撃針ノーズがかかって一定位置まで打撃スプリング２５を圧縮させるように形成された圧縮段と、前記撃針ノーズの上側に、打撃スプリング２５が一定長さ以上圧縮されたとき、前記撃針ノーズの傾斜面を押して前記撃針ノーズが圧縮段から離脱する解除段とを含むことを特徴とする連続式刺鍼器”が開示されている。
【０００４】
一方、連続式刺鍼器のカートリッジは前述した連続式刺鍼器に装着され、連続式刺鍼器の撃針作動幹（図３の６）が打撃する位置に鍼１０が順次ロードされる構造になっている。
【０００５】
すなわち、図２に示すように、連続式刺鍼器に備えられた第１磁石４によってカートリッジ１に収納された鍼１０が装填スロットを通じて撃針作動幹６の打撃位置に引かれてロードされ、第２磁石５によって鍼が重力によって落ちることを防止することができる構造になっている。鍼１０は撃針作動幹６が鍼１０の上端を瞬間的に打撃することによって下方に排出されて患部に刺鍼され、作動幹６が原位置に戻ると、第１磁石４によって待機中の他の鍼一つが打撃位置に順次ロードされる構造になっている。
【０００６】
このように、カートリッジ１に内蔵された鍼１０が装填スロットになだらかに進入するためには、カートリッジ１に収納された鍼１０が第２磁石５によって上方に浮上した状態で整列されなければならない。
【０００７】
しかし、カートリッジ１を刺鍼器に結合するとき、結合瞬間からカートリッジ１に収納された鍼１０が刺鍼器の側壁に備えられた第１磁石４によって装填スロット側に瞬間的に引かれて付いてしまうため、第２磁石５によって上側に浮上することができなく、よって装填スロットになだらかに進入しなくて装填スロット入口でかかってしまう誤動作を誘発することになる。
【０００８】
また、使用者の不注意によって撃針作動幹６が打撃位置にロードされた鍼１０を完全に打撃せずに戻る場合には、図３及び図４に示すように、打撃位置から下方におされた鍼１０の上端部支点（Ｐ１）が支点の役目をすることになる。これにより、装填スロットに順次整列された多数の鍼１０の上端部は図４の右側に傾き、下端部は図４の左側に傾くことになり、次の刺鍼の際、傾いた鍼１０を打撃することになるため、鍼１０が排出されない誤動作を誘発することになる。
【０００９】
さらに、前述したような状態で、撃針作動幹６が打撃しようとすれば、装填スロットに形成された段部にかかるため、鍼１０が正常に刺鍼されず、カートリッジ１０が下方に押されて刺鍼器から離脱する問題点がある。
【００１０】
そして、カートリッジ１を連続式刺鍼器に対して結合及び分離を繰り返す過程で緩くなる現象が発生して、カートリッジ１が刺鍼器から離脱する現象が発生する。
【００１１】
一方、前述したような連続式刺鍼器に装着される連続式刺鍼器のカートリッジ（以下、“カートリッジ”と通称する）は、連続式刺鍼器の撃針作動幹（以下、“作動幹”と通称する）が打撃させる打撃位置に鍼が順次ロードできるように構成される。
【００１２】
すなわち、図５に示すように、連続式刺鍼器に備えられた第１磁石４の磁力によってカートリッジ１の内部に収納された鍼１０が撃針作動幹６の打撃位置に順次引かれてロードされ、この際、第２磁石５の磁力によって、鍼１０がロードされているうちに重力方向に落ちることが防止されるものである。
【００１３】
撃針作動幹６の打撃位置に順次ロードされる鍼１０は、撃針作動幹６が鍼１０の上端を瞬間的に打撃することによって下方に排出されて刺鍼される。
【００１４】
この際、撃針作動幹６が打撃位置に位置する鍼１０を打撃して下方に排出させるとき、近接した鍼１０がともに下方に移動することになる問題点がある。
【００１５】
そして、連続式刺鍼器の搖れによって、カートリッジ１の内部に収納された鍼１０はカートリッジ１の内部の一端から他端にひどく遊動し、これによって一部の鍼１０が装填スロットの入口に平行に配列できず、図１２のように、一側に傾くことになる。このように傾いた一部の鍼１０が装填スロット入口を詰まり、他の鍼１０が装填スロットに進入することができない問題点が発生することになる。
【００１６】
一方、カートリッジ１の内部に収納された鍼１０は上側に位置する第２磁石５の磁力によって上側に浮上した状態で装填スロットに沿って供給される。この際、連続式刺鍼器で鍼１０を刺鍼しているうち、外部の衝撃による振動または刺鍼角度の頻繁な変更によって、図５に示すように、上側に浮上した鍼１０が元の位置から下側に離脱するため、装填スロットになだらかに進入することができない問題点がある。
【００１７】
一方、撃針作動幹６がロードされた鍼１０を完全に打撃して戻る場合、図６に示すように、撃針作動幹６の下端部支点Ｐ２が瞬間的に支点の役目をし、これにより、装填スロットに順次整列された多数の鍼１０の上端部は、図６に示すように、左側に傾き、下端部は、図６に示すように、右側に傾くことになる。
【００１８】
多数の鍼１０の上端部が、図６に示すように、左側に傾けば、図７の右側に示すように、装填スロットに順次整列された多数の鍼１０は矢印方向に押されて、最上側の鍼１０ａも、図６に示すように、鍼の上端部が鍼貯蔵部側に押され、装填スロット入口の両側の鍼１０ｂ、１０ｃのいずれか一方が磁力によって装填スロットに進入しようとし、結果として、上側のピン１０ａと両側の鍼１０ｂ、１０ｃは互いにＸ字形にずれて装填スロットの入口を詰める誤動作が発生する問題点がある。
【発明の概要】
【発明が解決しようとする課題】
【００１９】
したがって、本発明は前記のような問題点を解決するためになされたもので、使用者の不注意によって発生する誤動作を防止し、鍼を打撃して刺鍼する連続式刺鍼器の撃針作動幹が戻るとき、作動幹が支点の役目をすることによって発生するロード不能現象を防止し、カートリッジの離脱を防止することができる連続式刺鍼器；及び外部の衝撃による振動、または鍼を患部に刺鍼しているうちの刺鍼角度の頻繁な変更によって、カートリッジの内部に貯蔵された鍼の整列が崩れる現象、鍼が装填スロットの入口で磁力によって打撃位置に引かれる瓶首現象によるロード不能現象を防止することにより、カートリッジの内部に貯蔵された鍼が順次ロードされるようにして、消費者が安心して使用することができ、製品の信頼度が格段に向上する連続式刺鍼器のカートリッジ；を提供する。
【課題を解決するための手段】
【００２０】
本発明の一実施例によれば、鍼を連続的に刺鍼する連続式刺鍼器が提供される。この連続式刺鍼器は、少なくとも一つの鍼が貯蔵されるカートリッジを装着するための装着口と、前記カートリッジに貯蔵された鍼のうち、前記連続式刺鍼器の打撃位置にロードされた鍼を打撃して患部に刺鍼させる打撃手段とを備えた刺鍼器本体；及び前記カートリッジを前記装着口に装着しているうちには前記カートリッジに貯蔵された鍼に磁力を及ぼさないが、カートリッジが装着された後には前記カートリッジに貯蔵された鍼に磁力を及ぼして前記カートリッジに貯蔵された鍼を前記カートリッジの打撃位置に順次ロードさせるために、内部に第１磁石を備え、前記刺鍼器本体の一側に近接した位置または離脱した位置に回動、スライドまたは着脱可能に設置される磁力発生部；を含む。
【００２１】
本発明の一面によれば、前記連続式刺鍼器は、前記装着口に装着される前記カートリッジの上側部に対応する前記刺鍼器本体の一側に位置し、前記カートリッジに貯蔵された鍼の先鋭部が底に触れないように浮上させる第２磁石をさらに含むことができる。
【００２２】
本発明の他の面によれば、前記磁力発生部と前記カートリッジには互いに対応する位置にロック突起とロック凹部がそれぞれ形成されることができる。前記ロック突起とロック凹部は、前記磁力発生部が前記カートリッジの一側に近接した位置に回動、スライドまたは付着した場合、前記ロック突起が前記ロック凹部に嵌挿してカートリッジの離脱を防止するようにロックされ、前記磁力発生部が前記カートリッジの一側から離脱した位置に回動、スライドまたは脱着した場合、前記ロック突起が前記ロック凹部から抜けて前記カートリッジの離脱が可能になるようにアンロックされることができる。
【００２３】
本発明の他の面によれば、前記刺鍼器本体に備えられた打撃手段は、前記装着口に装着される前記カートリッジの上側部に対応する刺鍼器本体に設置され、復帰スプリングによって上側に弾支されたボタン、前記ボタンの内部に、打撃スプリングによって下側に弾支されるように設置された撃針、前記撃針の一側に上向き傾斜面が形成された撃針ノーズ、前記撃針ノーズの下側にボタンを押すとき、前記撃針ノーズがかかって一定位置まで打撃スプリングを圧縮させるように形成された圧縮段、及び前記撃針ノーズの上側に、前記打撃スプリングが一定長さ以上圧縮されたとき、前記撃針ノーズの傾斜面を押して前記撃針ノーズが圧縮段から離脱するようにする解除段を含むことができる。
【００２４】
本発明の他の面によれば、前記撃針ノーズの端部から前記圧縮段までの長さは、前記カートリッジに貯蔵された鍼の鍼柄の長さの１／２以下であってもよい。
【００２５】
本発明の他の面によれば、前記刺鍼器本体は、前記ボタンをロックまたはアンロックさせるためのロックスイッチを含むことができる。
【００２６】
本発明の他の実施例によれば、内部に収納された多数の鍼を連続式刺鍼器の打撃位置に順次ロードするための連続式刺鍼器のカートリッジが提供される。このカートリッジは、少なくとも一つの鍼が貯蔵される鍼貯蔵空間；前記鍼貯蔵空間に貯蔵された鍼を前記打撃位置に順次ロードするために、前記鍼貯蔵空間と前記打撃位置を連結する通路の役目をする装填スロット；及び前記打撃位置にロードされた鍼が打撃されて刺鍼される場合、隣接の鍼が共に排出されることを防止するために、前記装填スロットの少なくとも一部に備えられた段差部；を含んでなる。前記鍼貯蔵空間の鍼が前記装填スロットに進入する装填スロットの入口部を含む装填スロットの少なくとも一部は両側が互いに非対称に形成されることができる。
【００２７】
本発明の一面によれば、装填スロットの入口部を含む装填スロットの少なくとも一部は、互いに異なる勾配角を持つ傾斜面を有するか、互いに異なる曲率を持つラウンド面が形成されるか、あるいは互いに異なる高さを持つように形成されることができる。
【００２８】
本発明の他の面によれば、前記装填スロットの端部には上側排出孔と下側排出孔からなる排出孔が形成されることができる。前記下側排出孔の長径は鍼柄の直径の１．５倍より大きな長さを持つことができる。
【００２９】
本発明の他の面によれば、前記装填スロットは、その中間部が所定角度で折曲または湾曲されるように形成されることができる。
【００３０】
本発明の他の面によれば、前記連続式刺鍼器のカートリッジは、前記鍼貯蔵空間の上部を成すとともに前記装填スロットの上部を成す中間連結部材、前記鍼貯蔵空間の下部を成すとともに前記装填スロットの下部を成し、前記中間連結部材の下端に組み立てられる鍼貯蔵部、及び前記鍼貯蔵部の下端に組み立てられ、前記鍼を排出する送出部を含み、これらは互いに分離されることができる。
【００３１】
本発明の他の面によれば、前記送出部には前記鍼の排出のためのガイドホールが形成され、前記ガイドホールには、前記送出部の下方に突出して昇降可能に組み立てられることができる。前記ガイドホールは、突出長によって患部に刺入される鍼の深さを調節するガイド管を備えることができる。
【００３２】
本発明の他の面によれば、前記送出部の外周面一側には前記ガイド管の突出位を調節するための多数の多段スリットが交互に形成されることができる。前記ガイド管の外周面には、前記多数の多段スリットのいずれか一つに選択的にかかって前記ガイド管を固定する調節ピンを備えることができる。
【００３３】
本発明の他の面によれば、前記送出部の上端面には、前記鍼貯蔵空間に貯蔵された鍼が外部衝撃によって送出部側に離脱することを防止するために、前記ガイドホールと対応する位置に通孔が形成された平膜を備えることができる。
【００３４】
本発明の他の面によれば、前記ガイド管の下端にはストッパーピンが嵌挿されることができる。
【００３５】
本発明の他の実施例によれば、内部に収納された多数の鍼を連続式刺鍼器の打撃位置に順次ロードするための連続式刺鍼器のカートリッジが提供される。このカートリッジは、貯蔵された鍼が前記打撃位置に順次供給されるように通路の役目をする装填スロット；及び前記打撃位置にロードされた鍼が打撃されて刺鍼される場合、隣接の鍼が共に排出されることを防止するために、前記装填スロットの少なくとも一部に備えられた段差部；を含んでなり、前記装填スロットの端部には上側排出孔と下側排出孔からなる排出孔が形成され、前記下側排出孔の長径は鍼柄直径の１．５倍より大きな長さを持つことができる。
【００３６】
本発明の他の面によれば、前記装填スロットは、その中間部が所定角度で折曲または湾曲されるように形成されることができる。
【００３７】
本発明の他の面によれば、前記連続式刺鍼器のカートリッジは、前記鍼貯蔵空間の上部を成すとともに前記装填スロットの上部を成す中間連結部材、前記鍼貯蔵空間の下部を成すとともに前記装填スロットの下部を成し、前記中間連結部材の下端に組み立てられる鍼貯蔵部、及び前記鍼貯蔵部の下端に組み立てられ、前記鍼を排出する送出部とを含んでなり、これらは互いに分離されることができる。
【図面の簡単な説明】
【００３８】
【図１】従来の連続式刺鍼器の断面図である。
【図２】従来の連続式刺鍼器のカートリッジの断面図である。
【図３】従来の連続式刺鍼器のカートリッジの撃針作動幹による誤動作を説明する断面図である。
【図４】従来の連続式刺鍼器のカートリッジの撃針作動幹による誤動作を説明する断面図である。
【図５】従来の連続式刺鍼器のカートリッジの断面図である。
【図６】従来の連続式刺鍼器のカートリッジの撃針作動幹による誤動作を説明する断面図である。
【図７】従来の連続式刺鍼器のカートリッジの撃針作動幹による誤動作を説明する断面図である。
【図８】本発明の第１実施例による連続式刺鍼器とカートリッジを示す分離側断面図である。
【図９】本発明の第１実施例によるカートリッジの分解斜視図である。
【図１０】本発明の第１実施例による連続式刺鍼器とカートリッジが結合された側断面図である。
【図１１】図１０のＡ−Ａ’線についての断面図である。
【図１２】図１０のＢ−Ｂ’線についての部分断面図である。
【図１３】本発明の第１実施例による連続式刺鍼器の装填スロットの中間連結部材で形成された入口部を説明する図である。
【図１４】本発明の第１実施例による連続式刺鍼器に装着されるカートリッジの他の例を示す図である。
【図１５】本発明の第１実施例によるカートリッジのガイド管の出入を示す図である。
【図１６】本発明の第２実施例によるカートリッジの全体斜視図である。
【図１７】本発明の第２実施例によるカートリッジの分解斜視図である。
【図１８】本発明の第２実施例によるカートリッジの中間連結部材の斜視図である。
【図１９】本発明の第２実施例によるカートリッジの鍼貯蔵部の斜視図である。
【図２０】本発明の第２実施例によるカートリッジの送出部の斜視図である。
【図２１】図１７のＣ−Ｃ’線についての断面図である。
【図２２】本発明の第３実施例による連続式刺鍼器の全体斜視図である。
【図２３】本発明の第３実施例による連続式刺鍼器の全体斜視図である。
【図２４】本発明の第３実施例による連続式刺鍼器の一部解斜視図である。
【図２５】本発明の第３実施例による連続式刺鍼器の磁力発生部の斜視図である。
【図２６】本発明の第３実施例による連続式刺鍼器の磁力発生部の分解斜視図である。
【図２７】本発明の第３実施例による連続式刺鍼器の部分断面図である。
【図２８】本発明の第３実施例による連続式刺鍼器のロック突起とロック凹部を示す断面図である。
【図２９】本発明の第３実施例による連続式刺鍼器の磁力発生部の他の例の斜視図である。
【図３０】本発明の第３実施例による連続式刺鍼器の磁力発生部のさらに他の例の斜視図である。
【発明を実施するための形態】
【００３９】
以下、添付図面に基づいて本発明の好適な実施例を説明する。
【００４０】
本発明の第１実施例によれば、カートリッジ１が装着される連続式刺鍼器の基本構成は、図８に示すように、カートリッジ１の一側と上側に位置し、貯蔵された鍼１０が磁力によって上側に浮上した状態で打撃位置に自動でロードされるようにする第１磁石４及び第２磁石５と、カートリッジ１の上側に位置し、打撃位置の鍼１０を患部に刺鍼するために打撃する打撃手段と、カートリッジ１の上側に、復帰スプリング２２によって上側に弾支されるように設置されたボタン２３と、ボタン２３の内部に、打撃スプリング２５によって下側に弾支されるように設置された撃針２６と、撃針２６の一側の傾斜面に上側に形成された撃針ノーズ２８と、撃針ノーズ２８の下側に、ボタン２３を押すとき、撃針ノーズ２８がかかって一定位置まで打撃スプリング２５を圧縮させるように形成された圧縮段２１ａと、撃針ノーズ２８の上側に、打撃スプリング２５が一定長さ以上圧縮されたとき、撃針ノーズ２８の傾斜面を押して撃針ノーズ２８が圧縮段２１ａから離脱する解除段２９とを含んでなる。
【００４１】
まず、図８〜図１０に示すように、本発明によるカートリッジ１は鍼貯蔵空間１１の上部を成す中間連結部材１９と、鍼貯蔵空間１１下部を成す鍼貯蔵部２０と、最終的に打撃された鍼１０が排出される送出部３０とを含んでなる。しかし、カートリッジ１は、中間連結部材１９、鍼貯蔵部２０、及び送出部３０が一つからなった一体型カートリッジ１も本発明の範囲に含まれる。
【００４２】
打撃手段が備えられたハウジング２１に中間連結部材１９、鍼貯蔵部２０、及び送出部３０が順次結合される。
【００４３】
この際、図９に示すように、中間連結部材１９と鍼貯蔵部２０が結合されたとき、その一側には多数の鍼１０が収納される鍼貯蔵空間１１が形成され、この鍼貯蔵空間１１の一側には不規則に貯蔵された鍼１０を一つずつ打撃位置に供給する装填スロット１４が形成される。この際、上側の中間連結部材１９の装填スロット１４は貯蔵された鍼１０の鍼柄１０’が通過するように相対的に幅が大きな部分であり、下側の鍼貯蔵部２０の装填スロット１４は鍼柄１０’が通過するように相対的に幅が小さな部分であるので、中間連結部材１９と鍼貯蔵部２０が触れ合う装填スロット１４の中間部には鍼１０の進入方向に沿って自然に段差部１５が形成される。この段差部１５は打撃位置の鍼１０を打撃するとき、隣接の鍼１０の鍼柄１０’がかかることにより、打撃された鍼１０と共に引かれて降りないように支持する役目をする。このように構成される段差部１５の構造は、図１２に示すように、中間連結部材１９の下側排出孔１３と鍼貯蔵部２０の上側排出孔１２の幅差から分かる。
【００４４】
そして、図１１に示すように、装填スロット１４の入口部、つまり鍼１０が装填スロット１４に進入する入口部の両側は“高差（ｄ）”を置いて互いに異なる高さで形成される。
【００４５】
または、図１３Ａに示すように、入口部の両側に互いに異なる勾配角（α°、β°）を持つように傾斜面が形成される。
【００４６】
一般に、第１磁石４によって打撃位置に引かれて行こうとする鍼１０が装填スロット１４の入口部での瓶首現象によってロードできない現象が発生するの。このため、装填スロット１４の入口部の形成高さを互いに異なるように形成するかあるいは入口部の両側に互いに異なる勾配角（α°、β°）を持つように傾斜面を形成すれば、図１３Ｂに示すように、鍼１０がジグザグに配置されて瓶首現象を解消することができるので、ロード不能現象の発生を防止することができる。
【００４７】
以上、第１実施例を高差及び勾配角に関して説明したが、入口部の両側に互いに異なる大きさでラウンド処理をすることで瓶首現象を解消することもできる。
【００４８】
一方、図１４に示すように、第１実施例は、別途の鍼貯蔵空間なしに多数の鍼が貯蔵されるとともに前記鍼が前記打撃位置に順次供給されるように装填スロットが通路の役目をする装填スロットと、前記打撃位置にロードされた鍼が打撃されて刺鍼される場合に隣接の鍼が共に排出されることを防止するために、前記装填スロットの少なくとも一部に備えられた段差部と；を含んでなることもできる。このように、鍼貯蔵空間なしに装填スロットだけ形成された場合にも、図１４のように、装填スロットの入口部の両側に互いに異なる勾配角（α’°、β’°）、高差、及び互いに異なる曲率を持つように傾斜面が形成されるので、瓶首現象を解消することもできる。
【００４９】
一方、図１１に示すように、中間連結部材１９の装填スロット１４の反対側には装填スロット１４に向かって突出した隔壁１６が形成され、この離隔１６は装填スロット１４と一列になるように長く配列され、貯蔵された鍼１０が装填スロット１４と一列に配列されるように支持して、装填スロット１４になだらかに進入する。また、施術角度を多方向に頻繁に変えても貯蔵された鍼１０が鍼貯蔵空間１１内でひどく遊動しないように空間を区切る役目もする。
【００５０】
さらに、中間連結部材１９の装填スロット１４の端部の打撃位置には上側排出孔１２が形成され、この上側排出孔１２の上端には連続式刺鍼器の撃針２６の作動幹２７によって鍼１０を打撃するように撃針孔１６−１が形成される。また、鍼貯蔵部２０にも装填スロット１４の内側の打撃位置に上側排出孔１２と連結される下側排出孔１３が形成されて、上下に一つの排出孔１７を成すことになる。
【００５１】
この際、排出孔１７は段差部１５の下側の下側排出孔１３を段差部１５の上側の上側排出孔１２より大きく形成して、打撃された一つの鍼１０がなだらかに排出されるようにし、鍼貯蔵部に形成された下側排出孔１３は鍼１０の排出の際に隣接の鍼１０との干渉を避けるとともに施術の際に正確な位置に刺鍼を誘導するために、漏斗状に形成することが好ましい。
【００５２】
この際、下側排出孔１３の長径は鍼柄の太さの１．５倍より大きな長さを持つように形成される。これは、打撃された鍼がなだらかに排出されるようにするためである。すなわち、打撃位置にロードされた第１鍼を打撃した後、隣接の第２鍼が打撃位置にロードされれば、既に打撃された第１鍼の鍼柄を第２鍼の鍼柄が押さなくなるので、連続式刺鍼器を持ち上げるとき、打撃された鍼がなだらかに排出されるようにするためである。
【００５３】
そして、本発明のカートリッジ１が装着される連続式刺鍼器のハウジング２１の内部には、中間連結部材１９の一側と上側に位置するようにそれぞれ第１磁石４と第２磁石５が備えられる。第１磁石４は中間連結部材１９の上側排出孔１２に近接した部分に位置し、鍼貯蔵空間１１に収納された鍼１０が装填スロット１４に沿って打撃位置に引かれて来て自動でロードされるようにするものである。第２磁石５は中間連結部材１９の上側に位置し、貯蔵された鍼１０が磁力によって上側に浮上することにより、鍼１０の鍼柄１０’の端部が損傷されることを防止する役目をする。
【００５４】
また、鍼貯蔵部２０の鍼貯蔵空間１１の下端部は開口して鍼装填口１８を形成することになり、この鍼装填口１８を通じて、滅菌された鍼１０を鍼柄１０’さえ触れないで封筒から直接鍼貯蔵空間１１に不規則に装填できるように構成される。そして、この鍼装填口１８には、打撃される鍼１０を最終的に排出させる送出部３０が着脱可能に結合される。この際、送出部３０の上面には、鍼貯蔵空間１１に貯蔵された鍼１０が所定位置から下側に離脱しないように支持する平膜３２が形成される。すなわち、鍼貯蔵空間１１に収納された鍼１０は上側に配置された第２磁石５によって上側に浮上した状態に位置するが、使用中に外部の衝撃または連続刺鍼による累積した打撃力によって一部の鍼１０が上側に浮上した状態から下側に離脱する場合が発生する。この際、送出部３０の平膜３２が鍼１０を支持して、下側に離脱することを防止することになる。
【００５５】
また、送出部３０には、図１５に示すように、鍼１０の打撃方向にホール３１が形成され、このホール３１の内部には、打撃された鍼１０を排出させるガイド管３５が長手方向に遊動可能に結合される。この際、送出部３０のホール３１の一側壁には、鍼１０の排出方向に沿って所定間隔で多数の多段スリット３７が備えられ、ガイド管３５の一側面には多段スリット３７にかかってガイド管３５の突出長を調節する調節ピン３６が備えられるので、施術の際、鍼１０の刺入深さを調節することができることになる。
【００５６】
以上、第１実施例は、鍼貯蔵部２０の鍼装填口１８を送出部３０によって開閉するようになったリフィル型カートリッジについて説明したが、送出部３０が鍼貯蔵部２０と一体になった一体型カートリッジ１は、鍼１０をリフィルせずに、貯蔵された鍼１０が消耗されると廃棄する使い捨てカートリッジ１に製作することもできる。
【００５７】
以上のように構成された第１実施例の作動メカニズムについて図８〜図１０を参照して詳細に説明すると次のようである。
【００５８】
前記連続式刺鍼器は、カートリッジ１に滅菌された鍼１０を適宜装填し、その鍼装填口１８に平膜が形成された送出部３０を結合し、鍼装填口１８を閉めた後、、カートリッジ１の上側に打撃手段を結合すれば組立てが完了する。
【００５９】
この状態で、送出部３０のガイド管３５を患部に当ててボタン２３を押して一定長さ以上下降させれば、ボタン２３の内部の撃針ノーズ２８が圧縮段２１ａにかかって撃針２６を弾支する打撃スプリング２５が圧縮され、このボタン２３を一定長さ以上さらに下降させれば、撃針ノーズ２８の傾斜面が解除段２９によって押されて圧縮段２１ａとの係止が解除され、打撃スプリング２５の弾性力によって撃針２６を発射させて打撃位置の一つの鍼１０を瞬間的に打撃することになる。
【００６０】
このような過程で、本発明のカートリッジは、図１１に示すように、鍼貯蔵空間１１の装填スロット１４の反対側に装填スロット１４と一直線上に突設された隔壁１６が備えられ、鍼貯蔵空間１１に収納された多数の鍼１０が装填スロット１４と一直線上に配列されるように支持して装填スロット１４になだらかに進入するようにし、施術角度の変更の際にも貯蔵された鍼１０の遊動を減らして鍼１０の配列が崩れることを防止することができる。
【００６１】
また、鍼貯蔵空間１１の下側には、内部に収納された鍼１０が第２磁石５によって上側に浮上した位置から打撃力または外部衝撃によって下側に離脱しても鍼柄１０’部分が装填スロット１４の段差部１５の下側まで離脱することができないように支持する平膜３２が形成される。よって、本発明のカートリッジ１は、連続刺鍼によって打撃力が累積するか外部衝撃などが伝達しても鍼１０が離脱しないので、鍼１０の鍼柄１０’が段差部１５の下側の狭小な装填スロット１４にかかって誤作動することを防止することができ、消費者が安心して使用することができ、よって製品の信頼性が向上する。
【００６２】
本発明の第２実施例によれば、第２実施例のカートリッジが装着される連続式刺鍼器の基本構成は第１実施例の連続式刺鍼器の基本構成と同様であるので、その説明は省略する。
【００６３】
第２実施例の連続式刺鍼器のカートリッジは、図１６及び図１７に示すように、一般的に中間連結部材１００、鍼貯蔵部２００、及び送出部３００を含んでなる。
【００６４】
中間連結部材１００は鍼貯蔵空間ａの上部ａ１を成すとともに前記装填スロットｂの上部ｂ１を成すように構成され、鍼貯蔵部２００は鍼貯蔵空間ａの下部ａ２を成すとともに前記装填スロットｂの下部ｂ２を成して中間連結部材１００の下側端に組み立てられるように構成され、送出部３００は鍼貯蔵部２００の下側端に組み立てられ、鍼１０が排出されるように構成される。しかし、前記カートリッジは、中間連結部材１００、鍼貯蔵部２００、及び送出部３００が単一部材からなった一体型カートリッジであっても本発明の範囲に含まれる。
【００６５】
中間連結部材１００は、図１８に示すように、鍼貯蔵空間ａの上部ａ１を成すとともに装填スロットｂの上部ｂ１を成すように形成され、不規則に貯蔵された鍼１０の鍼柄１０’の部分が位置することになる。
【００６６】
このように、中間連結部材１００に不規則に貯蔵された鍼１０は第１磁石４によって撃針作動幹６の打撃位置にロードされる。
【００６７】
この際、装填スロットｂは鍼貯蔵空間ａと打撃位置を連結する通路の役目をするように形成される。また、鍼貯蔵空間ａの鍼１０を撃針作動幹６の打撃位置に順次ロードするため、この装填スロットｂはその中間部が所定角度で折曲または湾曲するように形成されることにより、撃針作動幹が戻るとき、この折曲または湾曲部分によって鍼柄１０’が装填スロットｂの外方に押される現象を格段に減らすことができるので、装填スロットｂの入口側で鍼柄１０’がＸ字形に互いにずれて装填スロットｂの入口を詰める現象を防止する。言い換えれば、鍼貯蔵空間ａに不規則に貯蔵された鍼１０がロードされる装填スロットｂは、鍼貯蔵空間ａの鍼１０を撃針作動幹６の打撃位置に順次ロードするために、鍼１０に作用する磁力方向に対して所定角度で折り曲げられた断面形状を持つように形成される。すなわち、図１８に示すように、折曲形状の装填スロットｂ、詳しくは装填スロットｂの上部ｂ１が形成されるものである。
【００６８】
前述したように、装填スロットｂの上部ｂ１を折り曲げて形成したことは、多数の鍼１０が互いにずれてＸ字形に装填スロットｂの入口を詰める誤動作を発生する従来の問題点を解決するためのもので、図２１を参照して説明すれば次のようである。
【００６９】
図６に示すように、従来のカートリッジにおいては、撃針作動幹６が打撃位置にロードされた鍼１０を完全に打撃してから戻る過程で撃針作動幹６の下端部支点Ｐ２が鍼柄１０’の中間部に位置するとき、磁力によって鍼柄１０’の下端部が装填スロットｂの内側に引かれて入り、鍼柄１０’の上端部が装填スロットｂの外側に押されることになるが、図１８及び図２１に示すように、第２実施例のカートリッジにおいては、装填スロットｂの上部ｂ１が折り曲げられて形成されることにより、第１鍼１０ｄの鍼柄１０’の上端部が装填スロットｂの入口側でない矢印方向、つまり側方向に押されるので、続いて進入する鍼１０ｅ、１０ｆの鍼柄１０’の上端部が装填スロットｂの入口側に押される移動力が小さくなるので、従来のように装填スロットｂの入口側で鍼がＸ字形にもつれて装填スロットｂを詰める現象が発生しなくなる。すなわち、一側に移動しようとする力が発生しても折曲形状によって第１鍼１０ｄの鍼柄１０’の上端部の移動する方向は矢印方向になる。
【００７０】
結果として、従来のカートリッジと比較してみると、第２実施例のカートリッジにおいては、図７の鍼１０ａが押される程度より著しく低い程度に鍼１０ｆの鍼柄１０’の上端部が押されるので、多数の鍼が互いにずれてＸ字形にもつれて装填スロットｂの入口を詰める誤動作を防止することができる。
【００７１】
一方、中間連結部材１００の装填スロットｂの上部ｂ１と対向する中間連結部材１００の対向面には装填スロットｂ側に向かって突出した隔壁１１０が備えられる。この離隔壁１１０は貯蔵された鍼１０が装填スロットｂと一直線上に配列されるように支持して装填スロットｂになだらかに進入するようにし、施術角度を多方向に頻繁に変えても貯蔵された鍼１０が鍼貯蔵空間ａ内でひどく遊動しないように空間を区切る役目もする。
【００７２】
さらに、中間連結部材１００の装填スロットｂの上部ｂ１の端部に位置する撃針作動幹６の打撃位置には上側排出孔１５２が形成される。この上側排出孔１５２の上端には、連続式刺鍼器の撃針作動幹６によって鍼１０を打撃するように中間連結部材１００の上面を貫く撃針孔（図示せず）が形成される。この上側排出孔１５２は後述する鍼貯蔵部２００の下側排出孔１５４とともに一つの排出孔１５０を形成して、鍼１０が送出部３００を通じて排出されるようにする役目をする。
【００７３】
そして、鍼貯蔵部２００が触れ合う中間連結部材１００の組立面には、鍼貯蔵部２００と結合する少なくとも一つの結合突起１２０が形成される。
【００７４】
鍼貯蔵部２００は、図１９に示すように、前記鍼貯蔵空間ａの下部ａ２を成すとともに前記装填スロットｂの下部ｂ２を成して中間連結部材１００の下端に組み立てられるように形成され、不規則に貯蔵された鍼１０の先鋭部が位置することになる。
【００７５】
この際、鍼貯蔵部２００に不規則に貯蔵された鍼１０がロードされる装填スロットｂの下部ｂ２は、中間連結部材１００の装填スロットｂの上部ｂ１と同様に、鍼貯蔵部２００の鍼１０を打撃位置に順次ロードさせる経路を形成し、磁力方向に対して所定角度で折曲または湾曲した断面形状を持つように形成される。すなわち、図１９に示すように、折曲形状の装填スロットｂの下部ｂ２が形成され、折曲形状は中間連結部材１００の折曲形状と同じに形成される。
【００７６】
ただ、図１８及び図１９に示すように、中間連結部材１００に形成された装填スロットｂの上部ｂ１の幅が鍼貯蔵部２００に形成された装填スロットｂの下部ｂ２の幅より大きく形成されることにより、中間連結部材１００と鍼貯蔵部２００が結合したとき、中間連結部材１００に形成された装填スロットｂの上部ｂ１と鍼貯蔵部２００に形成された装填スロットｂの下部ｂ２間の境界に段差部２０２が形成されるように構成される。
【００７７】
この際、装填スロットｂの下部幅は鍼柄１０’の直径より小さく形成されなければならない。
【００７８】
すなわち、上側の中間連結部材１００の装填スロットｂの上部ｂ１は貯蔵された鍼１０の鍼柄１０’が通過するように相対的に広幅に形成された部分で、下側の鍼貯蔵部２００の装填スロットｂの下部ｂ２は鍼柄１０’が通過するように相対的に狭幅に形成された部分であるので、中間連結部材１００と鍼貯蔵部２００が触れ合う境界である装填スロットｂの境界部には自然に段差部２０２が形成されるる。この段差部２０２は、打撃位置の鍼１０が打撃されるとき、隣接の鍼１０の鍼柄１０’がかかって打撃された鍼１０とともに引かれて下がらないように支持する役目をする。
【００７９】
一方、中間連結部材１００の上側排出孔１５２と連結されるように、鍼貯蔵部２００の装填スロットｂの下部ｂ２の端部には、下側排出孔１５４が形成され、上側排出孔１５２と下側排出孔１５４は互いに連通して一つの排出孔１５０を形成することにより、鍼１０が送出部３００を通じて排出されるようにする役目をする。
【００８０】
この際、排出孔１５０は段差部２０２の下側の下側排出孔１５０を段差部２０２の上側の上側排出孔１５０より大きく形成することで、打撃された一つの鍼１０がなだらかに排出されるようにし、鍼貯蔵部２００に形成された下側排出孔１５０は鍼１０の排出時に隣接の鍼１０との干渉を避けるとともに施術の際に正確な位置に刺鍼を誘導するために漏斗状に形成することが好ましい。
【００８１】
そして、中間連結部材１００と接触する鍼貯蔵部２００の組立面には、中間結部材１００の結合突起１２０との結合のための結合凹部２２０が形成されて、中間連結部材１００との結合を成すことになる。
【００８２】
未説明符号２１０は鍼１０を鍼貯蔵空間ａに装填するための鍼装填口２１０で、鍼貯蔵部２００の鍼貯蔵空間ａの下端部は開口され、この鍼装填口２１０を通じて、滅菌された鍼１０を鍼柄１０’さえ触れないで封筒から直接鍼貯蔵空間ａに適宜装填することができるように構成される。
【００８３】
送出部３００は、図２０に示すように、鍼貯蔵部２００の下端部に形成された鍼装填口２１０に着脱可能に組み立てられて、鍼１０が排出されるように形成される。この送出部３００には鍼１０の排出のためのガイドホール３００ｈが形成され、このガイドホール３００ｈには、送出部３００の下方に突出して昇降可能に組み立てられて、突出長によって患部に刺入される鍼１０の深さが調節されるようにするガイド管３１０が備えられる。
【００８４】
詳しくは、送出部３００には鍼１０の打撃方向にガイドホール３００ｈが形成され、このガイドホール３００ｈの内部には、打撃された鍼１０を排出させるガイド管３１０が長手方向に遊動可能に結合され、送出部３００のガイドホール３００ｈの一側壁には鍼１０の排出方向に沿って所定間隔で多数の多段スリット３０２が交互に備えられ、ガイド管３１０の一側面には、多数の多段スリット３０２のいずれか一つに選択的にかかってガイド管３１０の突出長を調節するとともに固定する調節ピン３１２が備えられることで、施術の際、鍼１０の刺入深を調節することができることになる。
【００８５】
一方、送出部３００の上端面には、鍼貯蔵空間ａに貯蔵された鍼１０が外部衝撃によって送出部３００側に離脱することを防止するために、ガイドホール３００ｈと対応する通孔３２０ｈが形成された平膜３２０が備えられる。
【００８６】
詳しくは、鍼貯蔵空間ａに貯蔵された鍼１０が所定位置から下側に離脱しないように支持する平膜３２０が形成される。このような平膜３２０は、連続式刺鍼器の上側に配置された第２磁石５によって鍼貯蔵空間ａから上側に浮上した状態の鍼１０が外部の衝撃や連続刺鍼によって打撃力が累積することによって下側に離脱する場合、離脱する鍼１０を支持して下側位置に離脱することを防止することになる。
【００８７】
一方、送出部３００のガイド管３１０の下端にはストッパーピン３３０が嵌挿されるように構成され、このストッパーピン３３０は製品の運搬過程でガイド管３１０を通じて鍼１０が排出されることを防止する役目をする。このようなストッパーピン３３０は、カートリッジを連続式刺鍼器に装着した後、使用する直前に抜き出して使用することになる。
【００８８】
本発明の第３実施例による連続式刺鍼器は、図２２〜図２４に示すように、カートリッジ１１００、刺鍼器本体１２００、及び磁力発生部１３００を含んでなり、具体的には次のようである。
【００８９】
カートリッジ１１００は内部に少なくとも一つの鍼１０が装填されて貯蔵されるもので、刺鍼器本体１２００に装着されて、患部に刺鍼するための鍼１０を提供することになる。
【００９０】
刺鍼器本体１２００は、カートリッジ１１００が装着される装着口１２００ｈ、この装着口１２００ｈに装着されたカートリッジ１１００に貯蔵された鍼１０の先鋭部１０ｂが底に触れないように浮上させる第２磁石１２１０、第１磁石１３１０を備えた磁力発生部１３００、及びカートリッジ１１００の打撃位置の鍼１０を患部に刺鍼するために打撃する打撃手段１２２０が備える。
【００９１】
磁力発生部１３００は内部に第１磁石１３１０が備えられ、刺鍼器本体１２００の一側に回動可能にヒンジ結合され、カートリッジ１１００の一側に近接した位置に回動した場合、カートリッジ１１００の離脱を防止し、鍼１０が磁力によって引かれて打撃位置に自動で配置されるようにする。また、カートリッジ１１００の一側から離脱した位置に回動した場合、カートリッジ１１００の分離ができるようにアンロックさせるとともにカートリッジ１１００に貯蔵された鍼１０が第１磁石１３１０の磁力の影響を受けないようにする。
【００９２】
一方、カートリッジ１１００及び刺鍼器本体１２００について概略的に説明すれば次のようである。
【００９３】
図２２〜図２４に示すように、カートリッジ１１００は刺鍼器本体１２００に装着されて鍼１０を一つずつ供給するための部分で、カートリッジ１１００に形成された鍼貯蔵空間に貯蔵された多数の鍼を第１磁石１３１０（図２６参照）の磁力によって連続式刺鍼器の撃針作動幹１２２３−１（図２７）が打撃する打撃位置に鍼１０が一つずつ引かれて来るようにする装填スロット（図示せず）が形成される。一方、前記装填スロットの端部には、打撃された鍼１０がなだらかに排出されるようにする排出孔（図示せず）が形成され、カートリッジ１１００の下部には送出部１１１０が備えられる。この送出部１１１０には、送出部１１１０の下側に突出するように昇降可能に結合されて、突出長によって患部に刺入される鍼１０の深さが調節されるようにするガイド１１２０が備えられる。
【００９４】
図２４に示すように、刺鍼器本体１２００は前述したカートリッジ１１００が装着されて使用者が手で把持した状態で使用するための部分で、カートリッジ１１００の挿入部１１０４が装着される装着口１２００ｈ、この装着口１２００ｈに装着されたカートリッジ１１００に貯蔵された鍼１０の先鋭部１０ｂが底に触れないように浮上させる第２磁石１２１０、及びカートリッジ１１００の打撃位置の鍼１０を患部に刺鍼するために打撃する打撃手段１２２０を備えている。
【００９５】
装着口１２００ｈはカートリッジ１１００の挿入部１１０４が充分挿入されて結合できる程度の深さに形成され、カートリッジ１１００の挿入部１１０４の断面形状に対応する形状に形成される。この装着口１２００ｈにカートリッジ１１００の挿入部１１０４が挿入された状態では、カートリッジ１１００に貯蔵された鍼１０が第２磁石１２１０の磁力によって引かれて浮上することにより、鍼１０の先鋭部１０ｂが底に触れなくなる。
【００９６】
まず、磁力発生部１３００について説明する。
【００９７】
図２４〜図２６に示すように、磁力発生部１３００は内部に前記カートリッジ内の鍼を自動でロードさせるための第１磁石１３１０が備えられ、刺鍼器本体１２００の一側に回動可能にヒンジ結合される。
【００９８】
詳しくは、磁力発生部１３００は刺鍼器本体１２００の一側、つまりカートリッジ１１００の挿入部１１０４が挿入される装着口１２００ｈの一側に回動可能にヒンジ結合され、刺鍼器本体１２００の一側には磁力発生部１３００とヒンジ結合するための複数のヒンジ結合ホールが備えられ、磁力発生部１３００には刺鍼器本体１２００に備えられた複数のヒンジ結合ホールに嵌挿される複数のヒンジ結合突起１３３４が形成されている。
【００９９】
一方、カートリッジ１１００の一側に近接した磁力発生部１３００の対応面にはロック突起１３０２が突設され、このロック突起１３０２に対応するカートリッジ１１００の対応面にはロック凹部１１０２が形成される。よって、図２８に示すように、磁力発生部１３００がカートリッジ１１００の一側に近接した位置に回動した場合、ロック突起１３０２がロック凹部１１０２に係合されてロック状態になり、磁力発生部１３００がカートリッジ１１００の一側から離脱した位置に回動した場合、ロック突起１３０２がロック凹部１１０２から抜けてアンロック状態になることができる。この際、磁力発生部１３００は刺鍼器本体の外部一側にヒンジ結合され、カートリッジは刺鍼器本体１２００の内部に挿入されるので、磁力発生部１３００のロック突起１３０２が内部に挿入されたカートリッジを固定させるために、カートリッジロック凹部１１０２に対応する位置に通孔ｈ１が形成される。
【０１００】
前述したような磁力発生部１３００をより具体的に説明すれば、図２６に示すように、磁力発生部１３００は、刺鍼器の外部に形成される磁場を遮断するために、磁性体のケーシング１３１５内に第１磁石１３１０が装着され、複数の弾性結合凹部が形成され、下面にロック突起１３０２が形成された下部組立体１３２０と、前記弾性結合凹部に結合されるための複数の弾性結合突起が形成され、ケーシング１３１５を取り囲みながら下部組立体１３２０と弾性結合され、刺鍼器本体１２００の一側に回動可能にヒンジ結合されるためのヒンジ結合突起１３３４が形成された上部組立体１３３０とからなる。しかし、下部組立体１３２０と上部組立体１３３０を一体にして内部に第１磁石１３１０が備えられた一体型構造に構成することもできる。
【０１０１】
このように、磁力発生部１３００が回動して刺鍼器本体から離脱した場合は、カートリッジをどの方向にどのように挿入してもカートリッジ内の鍼は磁力発生部１３００の内部の第１磁石１３２０による磁場影響は受けず、刺鍼器本体に装着された第２磁石１２１０によって一定高さに浮上して整列された状態で、磁力発生部１３００が回動されて刺鍼器本体に結合される瞬間、カートリッジ内に貯蔵された鍼が打撃位置に引かれて来るので、カートリッジの誤挿入の際に発生し得る誤作動を防止することができる。
【０１０２】
また、磁力発生部１３００がカートリッジ１１００とロックされた状態では、結合及び分離の繰り返しによって緩くなって発生するカートリッジの離脱、つまりカートリッジ１１００が刺鍼器本体１２００から離脱する現象を防止することができる。
【０１０３】
また、カートリッジ１１００に貯蔵された鍼１０を再整列しようとする場合には、刺鍼器本体１２００からカートリッジ１１００を分離せず、磁力発生部１３００を回動させて第１磁石１３１０の磁力を除去すれば、カートリッジ１１００に貯蔵された鍼１０を再整列することができる。
【０１０４】
次に、圧縮段の位置について説明する。
【０１０５】
図２７に示すように、刺鍼器本体１２００に備えられた打撃手段は、カートリッジの上側に、復帰スプリングＳ１によって上側に弾支されるように設置されたボタン１２２１、前記ボタンの内部に打撃スプリングＳ２によって下側に弾支されるように設置された撃針１２２３、撃針１２２３の一側に上向き傾斜面が形成された撃針ノーズ１２２５、撃針ノーズ１２２５の下側に、ボタンを押すとき、撃針ノーズ１２２５がかかって一定位置まで打撃スプリングＳ２を圧縮させるように形成された圧縮段１２２７、及び撃針ノーズ１２２５の上側に、打撃スプリングＳ２が一定長さ以上圧縮されたとき、撃針ノーズ１２２５の傾斜面を押して、撃針ノーズ１２２５が圧縮段１２２７から離脱して打撃するようにする解除段１２２９を含んでなる。
【０１０６】
この際、撃針ノーズ１２２５の端部から圧縮段１２２７までの長さはカートリッジ１１００に貯蔵された鍼の鍼柄１０ａの長さの１／２以下に構成される。
【０１０７】
このように、前記撃針ノーズの端部から前記圧縮段までの長さ（ｄ１）を鍼柄１０ａの長さの１／２以下にすると、撃針作動幹がロードされた鍼を完全に打撃しないで戻る場合にも打撃位置の鍼が“ｄ１”以下の長さだけ押されるから、まったく打撃されなかった鍼の上端部が隣接の鍼の“ｄ１”長さの下側位置（ｄ２）に位置することになるので、隣接の鍼が傾かなくて整列された状態を維持することになり、よって使用者の不注意によって発生する誤動作を防止することができる。
【０１０８】
一方、前記刺鍼器本体には前記ボタンをロックまたはアンロックさせるためのロックスイッチ１２２１−１（図２４参照）が備えられることができる。このロックスイッチ１２２１−１はボタン１２２１をロックまたはアンロックさせるためのもので、使用者の間違いによってボタン１２２１が押されることにより鍼１０が発射されることを防止する。
【０１０９】
これまで、磁力発生部１３００が刺鍼器本体１２００の一側に回動可能にヒンジ結合された場合について説明したが、以下に説明するように、着脱式構造、スライド構造、１軸回転構造などに変形することもできる。
【０１１０】
１）着脱式構造
ヒンジ結合突起１３３４とヒンジ結合ホールなしに、磁力発生部１３００がカートリッジの一側に近接した位置に位置するかあるいはカートリッジの一側から離脱して分離される構造。
【０１１１】
２）スライド構造（図２９参照）
磁力発生部の下面には一対の突起ａ１が突設され、磁力発生部の両側面にはそれぞれスライド結合突起ａ３が形成され、刺鍼器本体の一側には前記一対の突起ａ１の間隔と同一間隔で一対のスライドスロットａ２が形成され、カートリッジには第１面ａ６と第２面ａ７が設けられる。
【０１１２】
刺鍼器本体にカートリッジを結合する場合は、磁力発生部を図２９の左側にスライド移動させた後、一対の突起ａ１の下端部がカートリッジの第１面ａ６に接触した状態で刺鍼器本体にカートリッジが挿入され、挿入完了の後には、一対の突起ａ１の下端部がカートリッジの第２面ａ７に接触した状態で磁力発生部を図２９の右側にスライド移動させて結合させることになる。
【０１１３】
前記一対の突起ａ１は刺鍼器本体にカートリッジが結合された状態で第２面ａ７に位置することになるので、カートリッジが分離されないようにする。
【０１１４】
３）１軸回転構造（図３０参照）
磁力発生部の下面には一字形突起ｂ１が形成され、刺鍼器本体には第１ホールｂ２が形成され、カートリッジには第２ホールｂ３が形成される。
【０１１５】
刺鍼器本体にカートリッジを結合する場合には、磁力発生部を図３０の反時計方向に回転させることで第１ホールｂ２と第２ホールｂ３が互いに長手方向に一致するように位置させ、磁力発生部の一字形突起ｂ１も弟１ホールｂ２と第２ホールｂ３の長手方向に一致するようにして第１ホールｂ２と第２ホールｂ３に同時に挿入し、挿入が完了すれば、磁力発生部を時計方向に回転させることで、一字形突起ｂ１が第２ホールｂ３にかかって排出されないようにしてカートリッジが分離されないようにする。
【０１１６】
最後に、前述したように構成された連続式刺鍼器の作動について説明する。
【０１１７】
前記連続式刺鍼器は、磁力発生部１３００を刺鍼器本体から離脱するように回動させた後、鍼が貯蔵されたカートリッジ１１００を刺鍼器本体１２００の装着口１２００ｈに挿入し、磁力発生部１３００をカートリッジ１１００の一側に近接した位置に回動させて、カートリッジ１１００に貯蔵された鍼１０が磁力によって引かれて打撃位置に自動で配置されるようにするとともにカートリッジ１１００が離脱しないようにロックさせることで組立てが完了する。
【０１１８】
このような状態で、カートリッジ１１００の送出部１１１０を患部に当ててボタン１２２１を押して一定長さ以上下降させれば、ボタン１２２１の内部の撃針ノーズ１２２５が圧縮段１２２７にかかることにより、撃針１２２３を弾支する打撃スプリングＳ２を圧縮させ、このボタン１２２１を一定長さ以上さらに下降させれば、撃針ノーズ１２２５の傾斜面が解除段１２２９によって押されて圧縮段１２２７との係止が解除されて、打撃スプリングＳ２の弾性力によって撃針１２２３を発射させて打撃位置の鍼１０の一つを瞬間的に打撃することになる。このように速い速度で瞬間的に打撃することによって施術による痛症を軽減することができる。これは、既存の鍼管を利用して打撃する方式に比べ、打撃時の速度が速いので、刺鍼時に優れた痛症軽減の効果がある。
【０１１９】
打撃の後、連続式刺鍼器を患部から持ち上げれば、鍼１０は刺鍼器から排出されて患部にそのまま刺し込まれていることになる。
【０１２０】
ついで、押されたボタン１２２１を放すと、撃針１２２３は復帰スプリングＳ１によって元の状態に戻り、待機している他の一つの鍼１０が第１磁石１３１０の磁力によって打撃位置に自動で引かれてロードされるものである。前述した過程を繰り返すことで、一つ以上の鍼１０を連続的に刺鍼することができることになる。
【産業上の利用可能性】
【０１２１】
前記のような本発明の実施例らによれば、本発明の連続式刺鍼器のカートリッジは、外部の衝撃による振動、あるいは鍼を患部に刺鍼しているうちの刺鍼角度の頻繁な変更によって、カートリッジの内部に貯蔵された鍼の整列が崩れる現象、鍼が装填スロットの入口で磁力によって打撃位置に引かれる瓶首現象によるロード不能現象を防止することができる。
【０１２２】
また、カートリッジの内部に貯蔵された鍼が誤作動なしに順次ロードされるようにして、消費者が安心して使用することができ、製品の信頼度が著しく向上する効果がある。
【０１２３】
カートリッジを刺鍼器本体の装着口に装着する場合、第１磁石を内蔵した磁力発生部が刺鍼器本体の一側に回動して開かれた状態になる。この際、カートリッジに収納された鍼が装着口の上側の第２磁石の磁力のみによって一定高さに浮上して整列されるため、磁力発生部が結合されて初めて鍼が第１磁石の磁力によって一側装填スロット側に引かれる。よって、整列された鍼が装填スロットになだらかに進入することができる。
【０１２４】
また、使用者の不注意によって撃針作動幹がロードされた鍼を完全に打撃せずに戻る場合にも、隣接の鍼が傾いて配置されなくて整列された状態を維持するので、起こり得る誤動作を防止することができる。
【０１２５】
また、カートリッジに貯蔵された鍼がもつれても、カートリッジを分離しなくて磁力発生部を回動させて第２磁石の磁力を除去すれば、カートリッジの鍼を再整列させることができる。
【０１２６】
また、磁力発生部を結合された状態ではカートリッジが離脱しないので、消費者が安心して使用することができ、製品の使い方が易しく、製品の信頼度も著しく向上する。
【図１】
2010533538.tif 000003
【図２】
2010533538.tif 000004
【図３】
2010533538.tif 000005
【図４】
2010533538.tif 000006
【図５】
2010533538.tif 000007
【図６】
2010533538.tif 000008
【図７】
2010533538.tif 000009
【図８】
2010533538.tif 000010
【図９】
2010533538.tif 000011
【図１０】
2010533538.tif 000012
【図１１】
2010533538.tif 000013
【図１２】
2010533538.tif 000014
【図１３（ａ）】
2010533538.tif 000015
【図１３（ｂ）】
2010533538.tif 000016
【図１４】
2010533538.tif 000017
【図１５】
2010533538.tif 000018
【図１６】
2010533538.tif 000019
【図１７】
2010533538.tif 000020
【図１８】
2010533538.tif 000021
【図１９】
2010533538.tif 000022
【図２０】
2010533538.tif 000023
【図２１】
2010533538.tif 000024
【図２２】
2010533538.tif 000025
【図２３】
2010533538.tif 000026
【図２４】
2010533538.tif 000027
【図２５】
2010533538.tif 000028
【図２６】
2010533538.tif 000029
【図２７】
2010533538.tif 000030
【図２８】
2010533538.tif 000031
【図２９】
2010533538.tif 000032
【図３０】
2010533538.tif 000033
【国際調査報告】
2010533538.tif 000034
2010533538.tif 000035